(57)【要約】【課題】洗濯時に優れた洗浄力を有しながらも気泡生成が少ないのですすぎ性が優れているだけでなく、冷たい水での溶解性が非常に優れた洗剤組成物を提供する。【解決手段】本発明の洗剤組成物は、洗剤組成物において、（ａ）低泡性非イオン界面活性剤５〜１５重量％と、（ｂ）アルカリビルダー２０〜７０重量％と、（ｃ）食塩５〜６０重量％とを含むことを特徴とする。【選択図】なし【特許請求の範囲】
【請求項１】
洗剤組成物において、
（ａ）低泡性非イオン界面活性剤５〜１５重量％と、
（ｂ）アルカリビルダー２０〜７０重量％と、
（ｃ）食塩５〜６０重量％と
を含むことを特徴とする洗剤組成物。
【請求項２】
前記（ａ）低泡性非イオン界面活性剤が、下記の化学式（１）〜（６）で表わされる化合物群から選択される１種以上の化合物である、請求項１に記載の洗剤組成物：
【化１】
2004059886.tif 000016
（ただし、前記化学式（１）において、Ｒ１は炭素数１０〜１６のアルキルを示し、ｎは５〜１５の整数を示す。）、
【化２】
2004059886.tif 000017
（ただし、前記化学式（２）において、Ｒ２及びＲ３は各々独立的に炭素数１１〜１８のアルキルを示し、ｎは５〜１５の整数を示す。）、
【化３】
2004059886.tif 000018
（ただし、前記化学式（３）において、Ｒ４は炭素数１０〜１６のアルキルを示し、ｎは５〜１５の整数を示す。）、
【化４】
2004059886.tif 000019
（ただし、前記化学式（４）において、Ｒ５は炭素数６〜１２のアルキルを示し、
ｎは５〜１５の整数を示す。）、
【化５】
2004059886.tif 000020
（ただし、前記化学式（５）において、Ｒ６は炭素数１１〜１７のアルキルを示し、ｘは１または２の整数を示し、ｙは０または１の整数を示す。）、
【化６】
2004059886.tif 000021
（ただし、前記化学式（６）において、Ｒ７は炭素数８〜１６のアルキルを示す。）。
【請求項３】
前記（ｂ）アルカリビルダーは、炭酸ナトリウム、炭酸水素ナトリウム、炭酸カリウム、ケイ酸ナトリウム、及び層状ケイ酸ナトリウムからなる群から選択される１種以上の化合物である、請求項１に記載の洗剤組成物。
【請求項４】
前記洗剤組成物は、さらに、陰イオン界面活性剤、陽イオン界面活性剤、及び両性界面活性剤からなる群から選択される１種以上の界面活性剤を含む、請求項１に記載の洗剤組成物。
【請求項５】
前記洗剤組成物は、さらに、蛍光増白剤、酵素剤、消泡剤、漂白剤、表面活性化剤、高分子、及び香料からなる群から選択される１種以上の添加剤を０．２〜５重量％の量で含む、請求項１に記載の洗剤組成物。
【請求項６】
前記洗剤組成物は、さらに、塩化カリウム、硫酸ナトリウム、酢酸ナトリウム、クエン酸ナトリウム、及びコハク酸ナトリウムからなる群から選択される１種以上の成分を含む、請求項１に記載の洗剤組成物。
【発明の詳細な説明】
【０００１】
【発明の属する技術分野】
本発明は、溶解性及びすすぎ性に優れた洗剤組成物に関し、より詳しくは、洗濯用としての優れた洗浄力を有しながらも気泡生成が少なく、すすぎ性が優れているだけでなく、冷たい水での溶解性が非常に優秀な洗剤組成物に関する。
【０００２】
【従来の技術】
従来、洗濯をする場合に、洗剤の発する豊富な泡は洗剤の好ましい性質の一つとして見なされてきた。しかし、多量の泡が必ずしも優れた洗浄力を示すわけではない。
従来の洗剤を使用して洗濯をすると、洗濯時に気泡が形成されるが、よく消えないですすぎ時にも残り、また、衣類に残留している界面活性剤によってすすぎの際にも引続き気泡が生成されるので、すすぎにかかる時間が長くなり、水の使用量も多くなるという問題点があった。
【０００３】
実際に実生活で接する多くの洗濯条件において、発生する多量の泡は、長所としてよりは寧ろ短所として作用する場合の方がもっと多い。特に、消費者が衣類などを電気洗濯機などで洗濯をした後に、その衣類をすすぐ時にも引続き発生する多量の気泡は、何回ものすすぎを必要とするため多量の水、電気、時間などを消費する。このようなエネルギーと時間の過度な消費は、消費者に大きな負担として作用し、手で洗濯をする時にも何回ものすすぎ過程を経なければならないという不便があった。
【０００４】
洗剤に対するこれまでの持続的な技術研究により、最近では、洗剤の溶解性に対する消費者の不満が著しく減少する傾向にある。
ところで、洗剤には、ゼオライトが配合されることがあるが、このゼオライトは、従来用いられていたリン酸塩の富栄養化による環境汚染を減らすための代替成分として現在まで最も広範囲に使用されている。しかし、ゼオライトは水不溶成分で、水に溶解されず単純に分散されている状態で存在し、最近は河川底に累積沈殿してくるため新たな環境問題として考えられており、また、微細なゼオライト粉は、目には見えないが洗濯後の衣類に残存するという問題点もある。
【０００５】
このような問題点を解決するために、衣類洗濯用洗剤には消泡剤を利用して気泡を抑制する技術が広く用いられてきた。米国特許第５，５４０，８５６号、米国特許第５，３７５，４５９号、日本公開特許公報平６−１５４５１３号、及びヨーロッパ特許第０８８７０９７号には、有機化合物、ミネラルオイル、シリコンなどの消泡剤を適用（配合）した洗剤に関する技術が開示されている。しかし、前記公報に記載の技術には、すすぎ時に多くの気泡が持続的に発生する場合の明確な対策の開示がなく、洗濯初期には消泡剤の効果がめだつがすすぎ時には、消泡剤もほとんど洗われてしまうため持続的な効果を維持することができないという問題点がある。
【０００６】
また、米国特許第４，６０５，５０９号には、ゼオライトを主成分として使用した洗剤に関する技術が開示されている。しかし、この公報に記載の洗剤に含まれる主成分も水不溶成分であって、洗濯中に水に溶けないため洗濯水が清くならず、何回すすいでも衣類（特に冬季用の厚い衣類）に多くの水不溶分が残留するという問題があり、反復して洗濯を行う場合には、水不溶分の残留量がさらに増加するという問題点がある。
【０００７】
また、消費者は、何回かのすすぎにより、実際に衣類あるいは洗濯槽中の界面活性剤濃度が微小な程度になっているにもかかわらず、すすぎ時にも引き続き発生する多量の気泡を消すために、何回ものすすぎを実施し、結局、過度に多量の水、電気、時間などを消費する。また、このように水不溶成分であるゼオライトを含む洗剤の場合、ゼオライトによって洗濯機周辺が汚くなり、服生地に白い粉が残るという問題点もある。
【０００８】
したがって、水不溶成分を使用しなくても洗濯水が透明になり、洗濯時気泡生成が少ない、すすぎ性に優れた洗剤に対する研究がさらに必要なのが実情である。
そこで、　本発明者は、上記問題点を解決すべく、水に対する溶解性が優れており、洗濯時に気泡生成が少ないのですすぎ性が優れた洗剤に関して研究していたところ、低泡性非イオン界面活性剤、アルカリビルダー及び塩（ＮａＣｌ）を含み、かつこれらがそれぞれ特定量で含まれた洗剤組成物を用いると、驚くべきことに、洗濯時に、優れた洗浄力を有しながらも気泡生成が少ないのですすぎ性が優れているだけでなく、冷たい水での溶解性が非常に優れていることなどを見出して、本発明を完成するに至った。
【０００９】
【発明の目的】
本発明は、前記のような従来の技術の問題点を解決しようとするものであって、洗濯時に、優れた洗浄力を有しながらも気泡生成が少なく、すすぎ性が優れているだけでなく、冷たい水での溶解性が非常に優秀な洗剤組成物を提供することを目的とする。
【００１０】
【発明の概要】
本発明に係る洗剤組成物は、洗剤組成物において、
（ａ）低泡性非イオン界面活性剤５〜１５重量％と、
（ｂ）アルカリビルダー２０〜７０重量％と、
（ｃ）食塩５〜６０重量％と
を含むことを特徴とする。
【００１１】
本発明によれば、洗濯時に、優れた洗浄力を有しながらも気泡生成が少なく、すすぎ性が優れているだけでなく、冷たい水での溶解性が非常に優秀な洗剤組成物が提供される。
【００１２】
【発明の具体的説明】
以下、本発明に係る洗剤組成物について、具体的に説明する。
本発明の洗剤組成物は、低泡性非イオン界面活性剤（ａ）５〜１５重量％、アルカリビルダー（ｂ）２０〜７０重量％、及び塩（ＮａＣｌ）（ｃ）５〜６０重量％（ただし、組成物全体で１００重量％とする。）を含むことを特徴とする。
【００１３】
本発明では、前記低泡性非イオン界面活性剤（ａ）としては、末端基が疎水部で置換された下記の化学式（１）または下記の化学式（２）で表示される非イオン界面活性剤、または下記の化学式（３）〜（６）のうちのいずれか一つで表示される低泡性非イオン界面活性剤を用いることができる。
下記の化学式（１）で表示される末端基が疎水部で置換された非イオン界面活性剤は、キャッピング（末端封止）された直鎖型脂肪族アルコールポリオキシエチレングリコールであり、
下記の化学式（２）で表示される末端基が疎水部で置換された非イオン界面活性剤は、キャッピング（末端封止）された分岐鎖型脂肪族アルコールポリオキシエチレングリコールである。
【００１４】
また、下記の化学式（３）で表示される低泡性非イオン界面活性剤は、脂肪族アルコールポリオキシエチレングリコールであり、
下記の化学式（４）で表示される低泡性非イオン界面活性剤は、アルキルフェノールポリオキシエチレングリコールであり、
下記の化学式（５）で表示される低泡性非イオン界面活性剤は、脂肪酸アルカノールアミド（ポリオキシエチレン脂肪酸アミド）であり、
下記の化学式（６）で表示される低泡性非イオン界面活性剤は、アルキルアミンオキシドである。
【００１５】
【化７】
2004059886.tif 000002
【００１６】
（前記化学式（１）において、Ｒ１は炭素数１０〜１６のアルキルであり、ｎは５〜１５の整数である。）、
【００１７】
【化８】
2004059886.tif 000003
【００１８】
（前記化学式（２）において、Ｒ２及びＲ３は各々独立的に炭素数１１〜１８のアルキルであり、ｎは５〜１５の整数である。）、
【００１９】
【化９】
2004059886.tif 000004
【００２０】
（前記化学式（３）において、Ｒ４は炭素数１０〜１６のアルキルであり、ｎは５〜１５の整数である。）、
【００２１】
【化１０】
2004059886.tif 000005
【００２２】
（前記化学式（４）において、Ｒ５は炭素数６〜１２のアルキルであり、ｎは５〜１５の整数である。）、
【００２３】
【化１１】
2004059886.tif 000006
【００２４】
（前記化学式（５）において、Ｒ６は炭素数１１〜１７のアルキルであり、ｘは１または２の整数であり、ｙは０または１の整数である。）、
【００２５】
【化１２】
2004059886.tif 000007
【００２６】
（前記化学式（６）において、Ｒ７は炭素数８〜１６のアルキル基である。）。
前記低泡性非イオン界面活性剤（ａ）は、上記したように、洗剤組成物中に５〜１５重量％の量で含まれるのが好ましい。この成分（ａ）の含量が５重量％未満である場合には洗浄力が低下する恐れがあり、また１５重量％を超える場合には洗剤の製造がむずかしくなる恐れがある。
【００２７】
また、本発明に係る洗剤組成物には、前記低泡性非イオン界面活性剤（ａ）と共に、一般的な洗剤に用いられる、陰イオン界面活性剤、陽イオン界面活性剤、両性界面活性剤などの「一般的な界面活性剤」とが含まれていてもよく、このように界面活性剤（ａ）と一般的な界面活性剤とを併用する場合には、これらの界面活性剤を混合して用いることができる。
【００２８】
このように界面活性剤（ａ）と一般的な界面活性剤とを併用する場合には、本発明の洗剤組成物に用いられる界面活性剤の総重量（１００重量％）のうち、少なくとも３０重量％の量で、低泡性非イオン界面活性剤（ａ）を含むことが好ましい。界面活性剤総量中の成分（ａ）の含量が３０重量％未満である場合には、得られる洗剤組成物を用いた洗濯時に、すすぎ性が低下する恐れがある。
【００２９】
本発明に用いられる前記アルカリビルダー（ｂ）は、前記界面活性剤（ａ）の洗浄力を増加させる役割を果たす。
前記アルカリビルダー（ｂ）としては、水に完全に溶解される成分であれば何れでも使用可能であり、特に炭酸ナトリウム、炭酸水素ナトリウム、炭酸カリウム、ケイ酸ナトリウム、層状ケイ酸ナトリウムなどの炭酸塩を用いるのが好ましい。ここで、「水に完全に溶解される」とは、洗濯洗剤の標準使用量基準に従って洗剤を使用した場合に、成分（ｂ）が２０℃の水に完全に溶解されて透明度が０．５以下であるものを意味する。一般的な標準使用量は、水３０Ｌに洗剤２０ｇの量である。
【００３０】
前記アルカリビルダー（ｂ）は、本発明の洗剤組成物中に２０〜７０重量％の量で含まれるのが好ましい。この成分（ｂ）の含量が２０重量％未満である場合には、洗剤の粒子形成が難しくて流れが悪くなり、また７０重量％を超える場合には、冷水を用いて洗濯をする場合に、例えば、アルカリビルダー（ｂ）として炭酸塩を用いる場合には、その発熱反応によってかたい塊りが発生し、これによって溶解性が悪化する恐れがある。
【００３１】
本発明に用いられる前記食塩（ＮａＣｌ）（ｃ）は、洗剤の長期保存安定性、溶解性、及びすすぎ性を向上させる役割を果たし、特にアルカリビルダー（ｂ）が冷水中で凝固物を生成することを防止する重要な役割を果たす。このような目的で、前記食塩（ＮａＣｌ）の他に、アルカリ金属塩化物、硫酸塩、酢酸塩、クエン酸ナトリウム、コハク酸ナトリウムなどをさらに配合してもよい。
【００３２】
前記食塩（ｃ）は、本発明に係る洗剤組成物中に５〜６０重量％の量で含まれることが好ましい。この塩化ナトリウム（ｃ）の含量が５重量％未満である場合には、アルカリビルダー（ｂ）を過剰量で使用すると、冷水下の洗濯では凝固物が生成する可能性が高く、また６０重量％を超える場合には相対的に食塩の以外の成分の含量が減るようになってしまい、所望の性能を有する洗剤の製造が難しくなる。
【００３３】
本発明の洗剤組成物は、前記した構成成分の他にも蛍光増白剤、酵素剤、消泡剤、漂白剤、表面活性化剤、高分子、または香料などの水に完全に溶解される添加剤をさらに含んでいてもよい。前記添加剤は、本発明の洗剤組成物中に０．２〜５重量％の量で含まれることが好ましく、これらの添加剤の含量が０．２重量％未満である場合には添加剤の性能を十分に発揮できなくなり、また５重量％を超える場合には非経済的である。
【００３４】
前記蛍光増白剤としては、スチルベン系、非フェニル系、ピラゾリン系、プマリン系、またはキノロン系などの蛍光増白剤を用いることができ、
酵素剤としては、プロテアーゼ、アミラーゼ、リパーゼ、またはセルラーゼなどを用いることができ、
消泡剤としては、脂肪酸系、シリコン系、またはパラフィンワックス系などを用いることができる。
【００３５】
また、本発明の洗剤組成物は、塩化カリウム（ｐｏｔａｓｓｉｕｍ　ｃｈｌｏｒｉｄｅ）、硫酸ナトリウム（ｓｏｄｉｕｍ　ｓｕｌｆａｔｅ）、酢酸ナトリウム、クエン酸ナトリウム、及びコハク酸ナトリウムなどの成分をさらに含むことができる。
前記のような成分からなる本発明の洗剤組成物は、洗濯時に優れた洗浄力を有しながらも気泡生成が少ないのですすぎ性が優れているだけでなく、冷水での溶解性が非常に優れていて洗濯水が透明になるという効果がある。
【００３６】
【実施例】
以下、本発明の理解のために好ましい実施例を提示するが、下記の実施例は本発明を例示するものに過ぎず、本発明の範囲が下記の実施例に限られるわけではない。
【００３７】
【実施例１】
低泡性非イオン界面活性剤としてキャッピング（末端封止）された直鎖型脂肪族アルコールポリオキシエチレングリコール［上記式（１）中、Ｒ１＝炭素数１２〜１４のアルキル基、エチレンオキサイド量（ｎ）：１２モル、ＬＷＮＣ−１２０、（株）ＩＣ　Ｃｈｅｍ．］・・・・・・１０重量％、
アルカリビルダー（ｂ）として炭酸ナトリウム・・・・・・６０重量％、
食塩（ＮａＣｌ、精製塩（９８％）、韓国塩（株））・・・・・・１８重量％、
硫酸ナトリウム・・・・・・１０重量％、及び
香料、蛍光剤、酵素、水などの添加剤・・・・・・２重量％
の量で混合して洗剤（合計１００重量％）を製造した。
【００３８】
【実施例２、及び比較例１〜４】
前記実施例１において、下記表１に示すような成分を、下記のような組成比で用いた以外は、前記実施例１と同様にして洗剤を製造した。
なお、下記の表１中の配合成分量の単位は、重量％表示である。
【００３９】
【表１】
2004059886.tif 000008
【００４０】
【試験】
前記実施例１または２、及び比較例１〜４で製造された洗剤を使用して洗浄力、起泡／消泡力、すすぎ性、洗濯水の透明度、冷水での凝固物生成を下記のような方法で測定し、その結果を後述する表８に示した。
（イ）洗浄力：
下記の表２のような条件で測定し、比較例１を１００として換算して評価した。
【００４１】
【表２】
2004059886.tif 000009
【００４２】
（ロ）起泡／消泡性：
洗剤溶液１００ｍＬをシリンダーに満たして回転させ、停止した直後と６０秒後の泡の高さを測定して起泡／消泡性を評価した。
洗剤濃度が０．６７ｇ／Ｌになるように調整した洗剤溶液を洗濯水と見なし、前記洗濯水を１５倍の水で希釈した濃度である０．０４５ｇ／Ｌになるように調整した洗剤溶液をすすぎ水と見なして、すすぎ水の起泡／消泡性を評価した。
【００４３】
この時の条件は、下記の表３の通りである。
【００４４】
【表３】
2004059886.tif 000010
【００４５】
（ハ）すすぎ性：
下記の表４のような洗濯条件で衣類を洗濯した後、下記のすすぎ条件で１、２、３回目それぞれ５分間のすすぎを行い、下記の表５の評価基準によって評価した。
【００４６】
【表４】
2004059886.tif 000011
【００４７】
【表５】
2004059886.tif 000012
【００４８】
（ニ）透明度：
洗剤溶液２５ｍＬを実験機器のＣｅｌｌに満たして濁度計（ｔｕｒｂｉｄｉｍｅｔｅｒ）で測定し、すすぎ水の透明度を評価した。
洗剤濃度が０．６７ｇ／Ｌになるように洗剤の濃度を調整したものを洗濯水と見なし、また、０．０４５５ｇ／Ｌになるように洗剤の濃度を調整したものをすすぎ水と見なして、すすぎ水の透明度を評価した。
【００４９】
この時、測定値の単位はＮＴＵである（０．５ＮＴＵ以下である場合に透明な状態であると見なす。水の濁度が増加するに従ってＮＴＵも増加して牛乳の場合に１０００ＮＴＵ程度の値を示す。）。
この時の条件は、下記の表６の通りである。
【００５０】
【表６】
2004059886.tif 000013
【００５１】
（ホ）冷水中における洗剤の凝固の程度：
冷却水中における洗剤の凝固の程度は、５℃の冷水２００ｍＬをビーカーに入れ、洗剤２０ｇを一度に入れて３０分経過後に、１２メッシュ（ｍｅｓｈ）のふるいにかけて残った塊の量を測定し、下記の表７の評価基準によって評価した。
【００５２】
【表７】
2004059886.tif 000014
【００５３】
【表８】
2004059886.tif 000015
【００５４】
この表８から、本発明に係る洗剤組成物、例えば、低泡性非イオン界面活性剤５〜１５重量％、アルカリビルダー２０〜７０重量％、及び塩５〜６０重量％を必須成分として含む実施例１または２の洗剤は、洗浄力、洗濯水及びすすぎ水の起泡／消泡性、及びすすぎ性が非常に優れていることがわかる。
また、洗濯水とすすぎ水の濁度の実験結果から明らかなように、本発明に係る洗剤組成物は、水に完全に溶解されて透明度が非常に優れており、冷水での凝固の発生もなく、製造された製品の流れ性（製造物性）も優れていることを確認することができた。
【００５５】
これに対して、比較例３に示すような、低泡性非イオン界面活性剤を２０重量％の量で含む洗剤は、すすぎ性も多少劣り、製造時に粒子がよく形成されなくて製品流れ性が低かった。また、アルカリビルダーを８０重量％の量で含む比較例４の洗剤の場合はすすぎ性が優れていて製造が良好であったが、過剰なアルカリビルダーの使用のため冷水での凝固物生成が多いことを確認することができた。
【００５６】
【発明の効果】
本発明の洗剤組成物は、洗濯用として優れた洗浄力を有しながらも気泡生成が少ないのですすぎ性が優れているだけでなく、冷水での溶解性が非常に優れているという効果がある。